(57)【要約】  多シート被印刷製品を放送するための装置は、多シート被印刷製品を運搬するコンベヤと、少なくとも１つの表面凹所を備える第１の外面を有する第１の回転ドラムと、第２の外面を有する第２の回転ドラムとを有しており、第２の回転ドラムは第１のニップにおいて第１の回転ドラムと相互作用する。第１の包装材料供給装置は多シート被印刷製品の一方の側において第１のニップに第１の包装材料を提供し、第２の包装材料供給装置は多シート被印刷製品の他方の側において第１のニップに第２の包装材料を提供する。多シート被印刷製品を包装する方法も提供される。
2008507459.tif 000002
【特許請求の範囲】
【請求項１】
多シート被印刷製品を運搬するコンベヤと、
少なくとも１つの表面凹所を備える第１の外面を有する第１の回転ドラムと、
第２の外面を有する第２の回転ドラムとが設けられており、該第２の回転ドラムがニップにおいて第１の回転ドラムと相互作用するようになっており、
多シート被印刷製品の一方の側においてニップに第１の包装材料を提供する第１の包装材料供給装置と、
多シート被印刷製品の他方の側においてニップに第２の包装材料を提供する第２の包装材料供給装置とが設けられていることを特徴とする、多シート被印刷製品を包装するための装置。
【請求項２】
第２の外面が第２の凹所を有しており、第１の凹所と第２の凹所とがニップにおいて整合している、請求項１記載の装置。
【請求項３】
第１の回転ドラム又は第２の回転ドラムのうちの一方が、第１の包装材料及び第２の包装材料を裁断するためのナイフを有しており、第１の回転ドラム又は第２の回転ドラムのうちの他方が、前記ナイフと協働する刃受けを有している、請求項１記載の装置。
【請求項４】
第１の回転ドラム及び第２の回転ドラムのうちの少なくとも一方が、被印刷製品の周囲において第１の包装材料及び第２の包装材料を融着させるために加熱される、請求項１記載の装置。
【請求項５】
第１の包装材料及び第２の包装材料が連続的なフィルムである、請求項１記載の装置。
【請求項６】
第１の外面及び第２の外面が、第１の包装材料及び第２の包装材料を圧着させる、請求項１記載の装置。
【請求項７】
前記コンベヤがグリッパコンベヤである、請求項１記載の装置。
【請求項８】
前記グリッパが、被印刷製品をニップの上方において解放するグリッパを有している、請求項７記載の装置。
【請求項９】
ニップの下流に充填バッグセンサが設けられている、請求項１記載の装置。
【請求項１０】
多シート被印刷製品の周囲にバッグを形成する方法において、
多シート被印刷製品を、２つのドラムのニップに、該ニップを通過する２つの包装材料の間に引き渡すステップと、
多シート被印刷製品と２つの包装材料とをドラムに通過させるステップと、
多シート被印刷製品の周囲にバッグを形成するためにニップを使用して被印刷製品周囲に２つの包装材料をシールするステップとを含むことを特徴とする、多シート被印刷製品の周囲にバッグを形成する方法。
【請求項１１】
バッグを裁断することを含む、請求項１０記載の方法。
【請求項１２】
バッグが両端部において閉鎖される、請求項１０記載の方法。
【請求項１３】
多シート被印刷製品が新聞である、請求項１０記載の方法。
【発明の詳細な説明】
【技術分野】
【０００１】
本発明は、多シート被印刷製品を包装するための、例えば新聞紙を保護のためのプラスチックで包装するための方法及び装置に関する。
【０００２】
背景
米国特許第５１８９８６５号明細書には、新聞の折丁の束等の多シート被印刷製品を包装するための方法及び装置が記載されている。
【０００３】
発明の概要
本発明の目的は、多シート被印刷製品を包装するための装置のスループットを改良することである。
【０００４】
本発明は、多シート被印刷製品を運搬するコンベヤと、少なくとも１つの表面凹所を備えた第１の外面を有する第１の回転ドラムと、第２の外面を有する第２の回転ドラムとが設けられており、第２の回転ドラムが第１のニップにおいて第１の回転ドラムと相互作用し、多シート被印刷製品の一方の側において第１のニップに第１の包装材料を提供する第１の包装材料供給装置が設けられており、多シート被印刷製品の他方の側において第１のニップに第２の包装材料を提供する第２の包装材料供給装置が設けられている、多シート被印刷製品を包装するための装置を提供する。
【０００５】
多シート被印刷製品を包装するために回転ドラムを使用することによって、往復運動する包装装置よりも高い速度が可能である。
【０００６】
第２の回転ドラムは外面において第２の凹所を有することができ、被印刷製品は、ニップを通過するときに第１及び第２の凹所に嵌合する。
【０００７】
第１又は第２の回転ドラムの一方は、包装材料を裁断するためにナイフを有することができ、他方のドラムはナイフと相互作用するための刃受けを有することができる。
【０００８】
第１及び第２の回転ドラムは、第１及び第２の包装材料を被印刷製品の周囲において融着させるために外面において加熱されることもできる。
【０００９】
第１の包装材料及び第２の包装材料は連続的なフィルムとして供給されることができる。包装材料はプラスチック又は熱可塑性材料から形成されることができる。
【００１０】
外面は、第１及び第２の包装材料を圧着するために、リブを有しかつ互いに相互作用することができる。
【００１１】
コンベヤはグリッパコンベヤであることができ、グリッパは被印刷製品をニップに落下させることができる。
【００１２】
２つの包装材料によって形成された完成したバッグが被印刷製品を含んでいることを確認するために、ニップの下流にはセンサが設けられることができる。そうであるならば、充填されたバッグは別のコンベヤへ排出されることができる。バッグが空であるならば、空のバッグはブロワを使用して吹き飛ばされることができる。センサは、斜めになったバッグを確認することもできる。
【００１３】
本発明は、多シート被印刷製品の周囲にバッグを形成するための方法であって、多シート被印刷製品を、ニップを通過する２つの包装材料の間において２つのドラムのニップに引き渡すステップと、多シート被印刷製品と２つの包装材料とをドラムに通過させるステップと、多シート被印刷製品の周囲にバッグを形成するためにニップを使用して被印刷製品の周囲において２つの包装材料をシールするステップとを含む方法をも提供する。
【００１４】
この方法はさらにバッグを切断することを含むことができる。
【００１５】
バッグは、一方又は両方の端部において開放したままであるか、両端部において閉鎖されていることができる。
【００１６】
多シート被印刷製品は、水平方向、垂直方向又はあらゆるその他の角度でニップに進入することができる。
【００１７】
本発明は、丁合されたパックを形成しかつ例えばグリッパコンベヤを用いて引き渡されることができる、新聞、リーフレット及びジャケット又はこれらの組合せを包装することに対する特定の適用性を有することができる。
【００１８】
図面の簡単な説明
本発明の好適な実施形態は以下の図面と、その説明とに基づいて説明される。
【００１９】
図１は、グリッパコンベヤが新聞を２つのドラムに引き渡す実施形態の側面図を示している。
【００２０】
図２はドラムの外面の斜視図を示している。
【００２１】
図３は、ドラムのニップの図２の概略的な断面図Ａ−Ａを示している。
【００２２】
図４は図１から図３までの装置によって形成された包装された被印刷製品の概略図を示している。
【００２３】
好適な実施形態の詳細な説明
図１は、複数のグリッパ１２を有するグリッパコンベヤ１０が新聞１４を第１のドラム２２及び第２のドラム２４のニップ領域２０へ運搬する、好適な実施形態の側面図を示している。この実施形態における各ドラム２２，２４は、図２により明瞭に示されたように、それぞれ外面において複数の凹所３２，３４を有している。
【００２４】
再び図１を参照すると、第１の包装材料５２のフィルムがロール４２から巻き出され、ドラム２２の外面に引き渡され、第２の包装材料５４のフィルムがロール４４から巻き出され、ドラム２４の外面に引き渡される。包装材料５２，５４は例えばプラスチック又は熱可塑性材料から形成されている。包装材料５２，５４はここでは連続的なフィルムとして示されているが、包装材料は、幾つかの実施形態において個々のシートとして引き渡されることもできる。
【００２５】
包装材料５２，５４は、図２に示されたように、それぞれドラム２２，２４の圧着面３６，３８によって、圧着され、加熱される。これにより、バッグが連続的にドラムによって形成され、凹所３２，３４は、新聞が入り込むためのバッグにおけるポケットを形成する、包装材料５２，５４の圧着されない領域を提供する。
【００２６】
バッグを切断するために、鋸歯状又は平らなナイフ４６が刃受け４８と協働し、これにより、図１に示されたように、ニップ領域２０の後に、分離された、充填されたバッグ６０が形成される。
【００２７】
シュート８０に設けられたセンサは、例えば、重量を測定するためのスケールを使用することによって決定することができる。ブロワは、充填されていないバッグを吹き飛ばすことができる。
【００２８】
次いで、コンベヤ７０は、充填されたバッグを運び去る。
【００２９】
図３は、ドラムのニップの図２の概略的な断面図Ａ−Ａを示している。圧着面３６，３８がより詳細に示されており、一方の面の突出部が他方の面の凹所に噛み合うように相互作用している。面３６，３８に熱を提供するために加熱エレメント７２が設けられることができる。
【００３０】
図４は、包装された被印刷製品６０の概略図を示している。シールされた被印刷製品は、包装材料において突出した又は膨張した領域６２を生ぜしめる。被印刷領域６４が包装材料に提供されることができる。例えば、包装材料は予め印刷されていることができる。
【００３１】
ここに定義されたような回転ドラムは、例えば回転ベルトを使用することによって、円筒状又は楕円形であることができる。
【図面の簡単な説明】
【００３２】
【図１】グリッパコンベヤが新聞を２つのドラムに排出する実施形態の側面図を示している。
【図２】ドラムの外面の斜視図を示している。
【図３】ドラムのニップの図２の概略的な断面図Ａ−Ａを示している。
【図４】図１から図３間での装置によって形成された包装された被印刷製品の概略図を示している。
【符号の説明】
【００３３】
１０  グリッパコンベヤ、  １２  グリッパ、  ２０  ニップ領域、  ２２  第１のドラム、  ２４  第２のドラム、  ３２，３４  凹所、  ３６，３８  圧着面、  ４２  ロール、  ４６  ナイフ、  ４８  刃受け、  ５２  第１の包装材料、  ５４  第２の包装材料、  ６０  バッグ、  ６２  突出した又は膨張した領域、  ６４  被印刷領域、  ７０  コンベヤ、  ７２  加熱エレメント、  ８０  シュート
【図１】
2008507459.tif 000003
【図２】
2008507459.tif 000004
【図３】
2008507459.tif 000005
【図４】
2008507459.tif 000006
【国際調査報告】
2008507459.tif 000007